(57)【要約】【課題】  腰部支持体を備えてなり、背もたれに凭れた状態でなくても使用者の腰部を支持して、使用上の好ましい快適感が得られる椅子を提供する。【解決手段】  椅子の背もたれに、傾斜角度を調整できる腰部支持体を設けてなる椅子であって、該腰部支持体は下端が下方に延伸し、該延伸した末端に、一端の外周面に第１ネジ山を形成し、かつ該螺刻した部分が中空になるように孔部を形成した水平軸を設け、該水平軸に、両端縁部に耳部を形成した支持座を設けるとともに、該支持座の耳部に固定部材をそれぞれ設け、該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、該水平軸の一端の孔部と該固定部材の凹状部との間に弾性体を設け、該固定部材に、外側からカバーを設けるとともに、該可動ブロックを設ける側のカバーには操作レバーを回動自在に設ける。【選択図】  図１
0003128276.tif 000002
【実用新案登録請求の範囲】
【請求項１】
椅子の背もたれに、傾斜角度を調整できる腰部支持体を設けてなる椅子であって、
該腰部支持体は下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該腰部支持体の傾斜角度を調整し、該腰部支持体の傾斜角度を保つように構成することを特徴とする椅子。
【請求項２】
椅子の背もたれが傾斜角度を調整できる腰部支持体となる椅子であって、
該背もたれは下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該背もたれの傾斜角度を調整し、該背もたれの傾斜角度を保つように構成することを特徴とする椅子。
【請求項３】
前記水平軸が管状体であって、かつ該延伸した末端に嵌設されることを特徴とする請求項１、もしくは請求項２に記載の椅子。
【請求項４】
椅子の背もたれに、高さを調整できる腰部支持体を設けてなる椅子であって、
該腰部支持体は、ベース部とクッション部とに分かれるように構成し、
該ベースは、正面の略中央の位置に、底面にラック状の歯を形成した係合溝を形成し、かつ該係合溝の両側から上方に延伸する線が該ベースの上端縁部に至る位置にレールを設け、
該クッション部は背面に板状体を設け、該板状体の底辺であって、該ベース設けたレールに対応する位置には、上方に向かってスライド溝を形成するとともに、該板状体の下端の中央に近い部分が下方に延伸し、該下方に延伸した部分であって、該ベースの係合溝に対応する位置に係合部を形成し、かつ末端に操作部を形成してなり、
該板状体の末端に形成した該操作部を手前に引きながら押し上げて該板状体に形成した該係合部と該ベースに形成した係合溝との係合を解除して該クッション部と該板状体とを上下に移動させて高さを調整し、該操作部を手から離して該板状体の係合部と該ベースの係合溝とを係合させて上下の移動を制限するように構成することを特徴とする椅子。
【請求項５】
椅子の背もたれが高さを調整できる腰部支持体となる椅子であって、
該背もたれは、ベース部とクッション部とに分かれるように構成し、
該ベースは、正面の略中央の位置に、底面にラック状の歯を形成した係合溝を形成し、かつ該係合溝の両側から上方に延伸する線が該ベースの上端縁部に至る位置にレールを設け、
該クッション部は背面に板状体を設け、該板状体の底辺であって、該ベース設けたレールに対応する位置には、上方に向かってスライド溝を形成するとともに、該板状体の下端の中央に近い部分が下方に延伸し、該下方に延伸した部分であって、該ベースの係合溝に対応する位置に係合部を形成し、かつ末端に操作部を形成してなり、
該板状体の末端に形成した該操作部を手前に引きながら押し上げて該板状体に形成した該係合部と該ベースに形成した係合溝との係合を解除して該クッション部と該板状体とを上下に移動させて高さを調整し、該操作部を手から離して該板状体の係合部と該ベースの係合溝とを係合させて上下の移動を制限するように構成することを特徴とする椅子。
【請求項６】
前記ベースに固定溝を形成し、該固定溝に前記レールを設けることを特徴とする請求項４、もしくは請求項５に記載の椅子。
【請求項７】
前記ベースに設けるレールが、該ベースと一体に形成されることを特徴とする請求項４、もしくは請求項５に記載の椅子。
【考案の詳細な説明】
【技術分野】
【０００１】
この考案は、椅子に関し、特に背もたれに腰部支持体を設けた椅子の構造に関する。
【背景技術】
【０００２】
今日に至るまで、業界では、各種異なる機能を備えた椅子が開発されてきた。これら椅子の機能は、異なる消費者層のニーズに合わせて開発されたものであり、使用する場所、使用の目的、もしくはその他条件を考慮し、且つ座部、背もたれ、肘掛などの部材も人間工学に適うように予め設計されたものである。即ち、特殊な設計によって予期する効果を達成し、使用上の快適感をユーザーに与えることができる。
【０００３】
例えば、台湾実用新案公告第５７３５００号は、背もたれの部分に腰部を支持する支持体を設け、該支持体を調整できるように構成した椅子を提供するものである。また、台湾実用新案公告第５２４０８４号は、背もたれの部分に腰部を支持する支持体を設けた椅子を提供するものである。この２件の実用新案はいずれも椅子の背もたれに改良を加え、腰部を支持する支持体を設けた構造を備える。
【０００４】
しかしながら、前述の腰部支持体を備えた椅子は、背中が背もたれに接触しないように浅く腰掛けた場合は、当然、腰部支持体もユーザーの身体に接触しない。即ち、如何なる作用をも発揮しないことになる。また、腰部支持体の位置を調整する機構が設けられてはいるが、但し、腰部支持体は上下にしか移動しない。即ち、高さの調整をするだけであるため、やはり、ユーザーが浅く腰掛けた場合には予期する効果が得られない。
【実用新案参考文献】
【０００５】
台湾実用新案公告第５７３５００号公報、台湾実用新案公告第５２４０８４号公報
【考案の開示】
【考案が解決しようとする課題】
【０００６】
この考案は、腰部支持体を備えた椅子であって、背もたれに凭れた状態でなくても使用者の腰部を支持して、使用上の好ましい快適感が得られる椅子を提供することを課題とする。
【課題を解決するための手段】
【０００７】
そこで、本考案者は従来の技術に見られる欠点に鑑みて鋭意研究を重ねた結果、椅子の背もたれに腰部支持体を設けた椅子であって、該腰部支持体は下端が下方に延伸し、該延伸した末端に、一端の外周面に第１ネジ山を形成し、かつ該螺刻した部分が中空になるように孔部を形成した水平軸を設け、該水平軸に、両端縁部に耳部を形成した支持座を設けるとともに、該支持座の耳部に固定部材をそれぞれ設け、該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、該水平軸の一端の孔部と該固定部材の凹状部との間に弾性体を設け、該固定部材に、外側からカバーを設けるとともに、該可動ブロックを設ける側のカバーには操作レバーを回動自在に設けてなる椅子によって課題を解決できる点に着眼し、係る知見に基づいて本考案を完成させた。
【０００８】
以下、この考案について、具体的に説明する。
請求項１に記載する椅子は、  椅子の背もたれに、傾斜角度を調整できる腰部支持体を設けてなる椅子であって、
該腰部支持体は下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該腰部支持体の傾斜角度を調整し、該腰部支持体の傾斜角度を保つように構成する。
【０００９】
請求項２に記載する椅子は、椅子の背もたれが傾斜角度を調整できる腰部支持体となる椅子であって、
該背もたれは下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該背もたれの傾斜角度を調整し、該背もたれの傾斜角度を保つように構成する。
【００１０】
請求項３に記載する椅子は、請求項１、もしくは請求項２における水平軸が管状体であって、かつ該延伸した末端に嵌設される。
【００１１】
請求項４に記載する椅子は、椅子の背もたれに、高さを調整できる腰部支持体を設けてなる椅子であって、該腰部支持体は、ベース部とクッション部とに分かれるように構成し、該ベースは、正面の略中央の位置に、底面にラック状の歯を形成した係合溝を形成し、かつ該係合溝の両側から上方に延伸する線が該ベースの上端縁部に至る位置にレールを設け、該クッション部は背面に板状体を設け、該板状体の底辺であって、該ベース設けたレールに対応する位置には、上方に向かってスライド溝を形成するとともに、該板状体の下端の中央に近い部分が下方に延伸し、該下方に延伸した部分であって、該ベースの係合溝に対応する位置に係合部を形成し、かつ末端に操作部を形成してなり、該板状体の末端に形成した該操作部を手前に引きながら押し上げて該板状体に形成した該係合部と該ベースに形成した係合溝との係合を解除して該クッション部と該板状体２１とを上下に移動させて高さを調整し、該操作部を手から離して該板状体の係合部と該ベースの係合溝とを係合させて上下の移動を制限するように構成する。
【００１２】
請求項５に記載する椅子は、椅子の背もたれが高さを調整できる腰部支持体となる椅子であって、該背もたれは、ベース部とクッション部とに分かれるように構成し、該ベースは、正面の略中央の位置に、底面にラック状の歯を形成した係合溝を形成し、かつ該係合溝の両側から上方に延伸する線が該ベースの上端縁部に至る位置にレール設け、該クッション部は背面に板状体を設け、該板状体の底辺であって、該ベース設けたレールに対応する位置には、上方に向かってスライド溝を形成するとともに、該板状体の下端の中央に近い部分が下方に延伸し、該下方に延伸した部分であって、該ベースの係合溝に対応する位置に係合部を形成し、かつ末端に操作部を形成してなり、該板状体の末端に形成した該操作部を手前に引きながら押し上げて該板状体に形成した該係合部と該ベースに形成した係合溝との係合を解除して該クッション部と該板状体とを上下に移動させて高さを調整し、該操作部を手から離して該板状体の係合部と該ベースの係合溝とを係合させて上下の移動を制限するように構成する。
【００１３】
請求項６に記載する椅子は、請求項４もしくは請求項５におけるベースに固定溝を形成し、該固定溝に請求項５におけるレールを設ける。
【００１４】
請求項７に記載する椅子は、請求項４もしくは請求項５におけるベースに設けるレールが、該ベースと一体に形成される。
【考案の効果】
【００１５】
この考案による椅子は、腰部支持体を備えてなり、背もたれに凭れた状態でなくても使用者の腰部を支持して、使用上の好ましい快適感が得られるという利点を有する。
【００１６】
また、構造が簡単であるのみならず、さらに一部の部材を一体成型することも可能であるので、生産コストを節減し、生産性を高めることができるという利点を有する。
【考案を実施するための最良の形態】
【００１７】
この考案は、腰部支持体を備えた椅子を提供するものであって、該腰部支持体は下端が下方に延伸し、該延伸した末端に、一端の外周面に第１ネジ山を形成し、かつ該螺刻した部分が中空になるように孔部を形成した水平軸を設け、該水平軸に、両端縁部に耳部を形成した支持座を設けるとともに、該支持座の耳部に固定部材をそれぞれ設け、該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、該水平軸の一端の孔部と該固定部材の凹状部との間に弾性体を設け、該固定部材に、外側からカバーを設けるとともに、該可動ブロックを設ける側のカバーには操作レバーを回動自在に設ける。かかる構成によって、背もたれに凭れた状態でなくても使用者の腰部を支持して、使用上の好ましい快適感を提供するという目的を達成する。
かかる構成の椅子について、その構造と特徴を説明するために、具体的な実施例を挙げ、図示を参照にして以下に詳述する。
【実施例】
【００１８】
この考案による椅子は、図７に開示するように、背もたれ９１に腰部支持体８を設けてなる。該腰部支持体８は、傾斜角度と高さを自在に調整することができ、使用者の仙椎に接触して腰部を支持し、使用上の快適感を与えるものである。この考案の特徴である腰部支持体８について、以下に詳述する。
【００１９】
図１、２に開示するように、腰部支持体８は、ベース部１とクッション部２とに分かれるように構成し、かつ腰部支持体１は、さらに支持座３と、固定部材４と、可動ブロック５と、弾性体５４と、カバー６１、６２と、操作レバー７とを含む。
【００２０】
該ベース１は、正面の略中央の位置には、底面にラック状の歯を形成した係合溝１１を形成し、該係合溝１１の両側から上方に延伸する線がベース１の上端縁部に至る位置に、それぞれ固定溝１２を形成し、かつレール１３を固定溝１２内に螺合して位置決めする。
【００２１】
また、ベース１はプラスチック材を射出成型して形成する。この場合、下端部は方向に孔部が貫通する中空状に形成する。該中空の部分には、一端の外周面に第１ネジ山１５を形成し、かつ該螺刻した部分が中空になるように孔部１５１を形成した水平軸１４を設ける。実施例では、図３に開示するように、一端の外周面に第１ネジ山１５を形成した管状体を嵌設する。但し、該管状体をベース１と一体に形成してもよい。
【００２２】
クッション部２は背面に板状体２１を設ける。板状体２１の底辺であって、ベース１に設けたレール１３に対応する位置には、上方に向かってスライド溝２１２を形成する。また、板状体２１は、下端の中央に近い部分が下方に延伸し、
該下方に延伸した部分であって、ベース１の係合溝１１に対応する位置に係合部２１１を形成するとともに、末端に操作部２１３を形成する。
【００２３】
支持座３は、両端縁部に耳部３１をそれぞれ設ける。耳部３１は上端から切り欠き、下方に向かって切り欠きを形成する。また、耳部には複数のネジ孔を穿設する。支持座３は椅子９に接続する（図７参照）。
【００２４】
固定部材４は、下端から切り欠いて、上方に向かって切り欠きを形成する。また、両側面から延伸する左右対称の延伸部４１をそれぞれ一体に形成し、かつ支持座３の耳部３１に穿設したネジ孔に対応する位置には、固定部材４を支持座３に螺合するためのネジ孔を穿設する。
【００２５】
可動ブロック５は、固定部材４の延伸部４１より短くするとともに、固定部材４側の面には、水平軸１４の一端に対応する位置に凹状部５２１を形成し、該凹状部５２１の内周面に、水平軸１４の一端に形成した第１ネジ山１５に対応する第２ネジ山５２を形成する。第１ネジ山１５と第２ネジ山５２は、いずれか一方が雄ネジで、他方が雌ネジである。また、他端には内側面が軸方向に円弧を描く凹溝５３を形成する。さらに、可動ブロック５の側面であって、固定部材４側面の延伸部４１に対応する位置には延伸部４１の幅と同等の幅の位置決め溝５１を形成する。
【００２６】
カバー６１、６２は、いずれも一端を開口面とし、該開口面の下端に切り欠き６１１、６２１を形成する。また、一方のカバー６１には、貫通孔６１２と、貫通孔６１２に連結する横溝６１３を形成する。
【００２７】
上述するそれぞれの部材を組み立てる場合は、図１、３、５に開示するように、支持座３を両耳部３１の切り欠きから水平軸４に取り付け、同様に固定部材４を下端の切り欠きから水平軸に取り付け、かつ支持座３と固定部材４とを螺合する。次いで、可動ブロック５と、固定部材４とを連結する。
【００２８】
また、別途弾性部材４を用意し、ベース１の孔部１５１と可動ブロック５の凹状部５２１との間に設ける。
【００２９】
次に、操作レバー７と軸受けピン７１をカバー６１の貫通孔６１２と横溝６１３に設けて操作レバー７が回動自在になるように構成し、両固定部材４に外側からカバー６１、６２を螺合する。
【００３０】
さらに、クッション部２の板状体２１に形成したスライド溝２１２にベース１のレール１３を挿入し、板状体２１の係合部２１１をベース１の係合溝１１に係合させて位置決めする。
【００３１】
上述する腰部支持体８は、傾斜角度を調整することができる。即ち、図４に開示するように操作レバー７を押圧すると、可動ブロック５が弾性部材５４の付加勢力を受けて、第２ネジ山５２が第１ネジ山１５から外れる。この場合、腰部支持体は、傾斜角度を任意の角度に調整することができるようになる。即ち、使用者の腰部、もしくは背中に接触する角度を調整することによって、人間工学に適った状態とすることができ、好ましい快適感が得られる。
【００３２】
上述する操作によって腰部支持体８の角度を調整した後、操作レバー７を本来の位置に復帰させると、可動ブロック５が操作レバーによって押圧され、図３に開示するように第２ネジ山５２と第１ネジ山１５とが噛合した状態になり、腰部支持体は位置決めされて、安定した状態となる。
【００３３】
また、上述する腰部支持体８は、高さを調整することができる。図５、６に開示するように板状体２１の末端に形成した操作部２１３を手前に引きながら押し上げると、板状体２１に形成した係合部２１１がベース１に形成した係合溝１１の制限から開放される。この状態において、スライド溝２１２とベース１のレール１３とが摺動自在に設けられるため、クッション部２と板状体２１とを上下に移動させることができる。次いで、クッション部２と板状体２１とを適切な高さに調整し、操作部２１３を手から離すと、板状体２１の係合部２１１ベース１の係合溝１１に係合し、上下の移動が制限される。即ち、使用者の腰部、もしくは背中に接触する高さを調整することによって、人間工学に適った状態とすることができ、好ましい快適感が得られる。
【００３４】
図７に開示するように、この考案による椅子９は、背もたれ９１に取り付け空間９１１を形成し、取り付け空間９１１１に腰部支持体８を設ける。係る構造は、必要に応じて腰部支持体８の傾斜角度と高さを調整し、使用者の身体に完全に接触するよう調整できる。したがって、人間工学に適った状態とすることができ、好ましい快適感が得られる。
【００３５】
また、図８に開示する実施形態では、腰部支持体８’を背もたれとして椅子９’に設ける。係る構造においても、同様に必要に応じて腰部支持体８’の傾斜角度と高さを調整し、使用者の身体に完全に接触するよう調整できる。したがって、人間工学に適った状態とすることができ、好ましい快適感が得られる。
【００３６】
また、図９に開示するように、ベース１とレール１３とを一体に成型してもよい。
【００３７】
以上は、この考案の好ましい実施例であって、この考案の実施の範囲を限定するものではない。よって、当業者のなし得る修正、もしくは変更であって、この考案の精神の下においてなされ、この考案に対して同等の効果を有するものは、いずれもこの考案の実用新案請求の範囲に属するものとする。
【図面の簡単な説明】
【００３８】
【図１】この考案における腰部支持体の分解図である。
【図２】図１に開示する腰部支持体の斜視図である。
【図３】図１に開示する腰部支持体の側面図と、内部構造を示した一部断面説明図である。
【図４】図１に開示する腰部支持体を傾斜させる操作を示した説明図である。
【図５】図１に開示する腰部支持体の側面図と、内部構造を示した一部説明図である。
【図６】図１に開示する腰部支持体の高さを調整する操作を示した説明図である。
【図７】この考案における腰部支持体を設けた椅子の斜視図である。
【図８】他の実施形態による椅子を示した斜視図である。
【図９】他の実施形態による腰部支持体の分解図である。
【符号の説明】
【００３９】
１                    ベース
１１                  係合溝
１２                  固定溝
１３                  レール
１４                  水平軸
１５                  第１ネジ山
１５１                孔部
２                    クッション部
２１                  板状体
２１１                係合部
２１２                スライド溝
２１３                操作部
３                    支持座
３１                  耳部
４                    固定部材
４１                  延伸部
５                    可動ブロック
５２１                凹状部
５３                  凹溝
５４                  弾性体
６１、６２        カバー  
６１１、６２１        切り欠き
６１２                貫通孔              
６１３                横溝
７                    操作レバー
７１                  軸支ピン
８、８’              腰部支持体
９、９’              椅子
９１                  背もたれ
９１１                取り付け空間
【図１】
0003128276.tif 000003
【図２】
0003128276.tif 000004
【図３】
0003128276.tif 000005
【図４】
0003128276.tif 000006
【図５】
0003128276.tif 000007
【図６】
0003128276.tif 000008
【図７】
0003128276.tif 000009
【図８】
0003128276.tif 000010
【図９】
0003128276.tif 000011
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
椅子の背もたれに、傾斜角度を調整できる腰部支持体を設けてなる椅子であって、
該腰部支持体は下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該腰部支持体の傾斜角度を調整し、該腰部支持体の傾斜角度を保つように構成することを特徴とする椅子。
【請求項２】
椅子の背もたれが傾斜角度を調整できる腰部支持体となる椅子であって、
該背もたれは下端が下方に延伸し、該延伸した末端に、一端の外周面に第１ネジ山を形成し、かつ該螺刻した部分が中空になるように孔部を形成した水平軸を設け、
該水平軸に、両端縁部に耳部を形成した支持座を設けるとともに、該支持座の耳部に固定部材をそれぞれ設け、
該固定部材の一方に、該水平軸の一端に対応する位置に凹状部を形成し、該凹状部の内周面に、該水平軸の一端に形成した第１ネジ山に対応する第２ネジ山を形成してなる可動ブロックを設け、
該水平軸の一端の孔部と該固定部材の凹状部との間に弾性体を設け、
該固定部材に、外側からカバーを設けるとともに、該可動ブロックを設ける側のカバーには操作レバーを回動自在に設け、
該弾性体の付加勢力で該固定部材が該第１ネジと第２ネジとが噛合した状態を保ち、該操作レバーを操作することによって該第１ネジと第２ネジとの噛合を解除して該背もたれの傾斜角度を調整し、該背もたれの傾斜角度を保つように構成することを特徴とする椅子。
【請求項３】
前記水平軸が管状体であって、かつ該延伸した末端に嵌設されることを特徴とする請求項１、もしくは請求項２に記載の椅子。